(57)【要約】      （修正有）【課題】持ち上げる際、指が滑りにくく、扱いやすい形状の包装箱を提供する。【解決手段】角筒状の周壁１の少なくとも一つのコーナー部を、両端面の角を結ぶ仮想直線上に両端が位置し、中間部がその仮想直線から離れた山折線４と、両端が山折線４に一致し、中間部が仮想直線に対し山折線４からさらに離れた谷折線５とにより形成し、この谷折線５を周壁１の内側方向へ折り曲げ、山折線４と谷折線５とに囲まれた周壁１の一部を、周壁１の外側へ膨らませて指掛部６にする。片手で挟んで持ち上げる際、指掛部６に指を掛けると、指の滑りが防止され、強く握らなくても落としにくくなり、取扱性が向上する。【選択図】図４
2009035325.tif 000002
【特許請求の範囲】
【請求項１】
角筒状の周壁(1)の少なくとも一つのコーナー部を、両端面の角を結ぶ仮想直線上に両端が位置し、中間部がその仮想直線から離れた山折線(4)と、両端が上記山折線(4)に一致し、中間部が上記仮想直線に対し山折線(4)からさらに離れた谷折線(5)とにより形成し、この谷折線(5)を周壁(1)の内側方向へ折り曲げ、山折線(4)と谷折線(5)とに囲まれた周壁(1)の一部を、周壁(1)の外側へ膨らませて指掛部(6)にした包装箱。
【請求項２】
上記山折線(4)及び谷折線(5)を弧状とし、谷折線(5)の曲率を山折線(4)の曲率よりも大きく設定したことを特徴とする請求項１に記載の包装箱。
【請求項３】
請求項１又は２に記載の包装箱において、両端が上記山折線(4)に一致し、中間部が上記仮想直線に対し上記山折線(4)から反対方向に離れた山折線(11)を入れ、２本の山折線(4，11)に囲まれた周壁(1)の一部を、上記指掛部(6)に隣接して面取状に傾斜する指沿部(12)にした包装箱。
【発明の詳細な説明】
【技術分野】
【０００１】
この発明は、周壁のコーナー部に、持ちやすくするための指掛部を設けた包装箱に関するものである。
【背景技術】
【０００２】
一般に、菓子等の包装箱として、図１５に示すように、周壁５１を、側壁５２及び妻壁５３を角筒状に連設して形成し、蓋フラップ５４ａ，５４ｂ，５４ｃを順次内側へ折り曲げ、蓋フラップ５４ｃをその全幅に亘る引裂帯５４ｄの先端側で蓋フラップ５４ｂに貼り付けて封緘した直方体のものが使用されている。
【０００３】
この包装箱から所要量の内容物を取り出す際には、引裂帯５４ｄを切除して、図１６に示すように、蓋フラップ５４ａ，５４ｂ，５４ｃを開くとともに、内袋５５を開封し、片手で両側壁５２を挟むように握って、包装箱を持ち上げた状態で傾斜させ、開口した端面から内容物を振り出す。
【０００４】
また、ビール等の缶入り飲料の輸送・量販用の包装には、飲料缶を数十本集積した状態で包み込む段ボール製のラップラウンドケースが使用される。
【発明の開示】
【発明が解決しようとする課題】
【０００５】
しかしながら、上記のような直方体の包装箱では、側壁５２に指を掛ける部分がないため、内容物を振り出す際、指が滑らないように側壁５２を強く握らなければならず、握力が弱い幼児や高齢者、女性等にとっては扱いにくいという問題があった。
【０００６】
特に、飲料等の比較的重量があり、冷却して使用する内容物を収容した場合、表面に水滴が付着して滑りやすくなり、内容物の重量と滑りやすい表面があいまって、さらに扱いが困難となる。
【０００７】
また、飲料缶を数十本包装する段ボール製ラップラウンドケースも、底面側のコーナー部に指を掛ける部分がないため、力が弱い高齢者や女性、子供等には持ち上げて運搬することが困難であるという問題があった。
【０００８】
そこで、この発明は、持ち上げる際、指が滑りにくく、扱いやすい形状の包装箱を提供することを課題とする。
【課題を解決するための手段】
【０００９】
上記課題を解決するため、この発明は、包装箱において、角筒状の周壁の少なくとも一つのコーナー部を、両端面の角を結ぶ仮想直線上に両端が位置し、中間部がその仮想直線から離れた山折線と、両端が上記山折線に一致し、中間部が上記仮想直線に対し山折線からさらに離れた谷折線とにより形成し、この谷折線を周壁の内側方向へ折り曲げ、山折線と谷折線とに囲まれた周壁の一部を、周壁の外側へ膨らませて指掛部にしたのである。
【００１０】
また、上記山折線及び谷折線を弧状とし、谷折線の曲率を山折線の曲率よりも大きく設定して、指掛部が膨らむようにしたのである。
【００１１】
さらに、上記指掛部付包装箱において、両端が上記山折線に一致し、中間部が上記仮想直線に対し上記山折線から反対方向に離れた山折線を入れ、２本の山折線に囲まれた周壁の一部を、上記指掛部に隣接して面取状に傾斜する指沿部にし、指当たりが柔らかくなるようにしたのである。
【発明の効果】
【００１２】
この包装箱では、周壁のコーナー部に外側に膨らんだ指掛部を有するので、片手で挟んで持ち上げる際、指掛部に指を掛けると、指の滑りが防止され、強く握らなくても落としにくくなり、取扱性が向上する。
【００１３】
また、既存の包装機械で組み立てて封緘することができるので、商品の包装に要するコストが増大することもない。
【００１４】
また、飲料缶を数十本包装する段ボール製ラップラウンドケースの場合、周壁の一側壁を挟む二つのコーナー部に指掛部および指沿部を設けると、持ち上げる際、両側に指掛部を有する側壁を下方に向け、両側の指沿部に両手の指を当て、指沿部に沿って指を下方に回し込み、指掛部にそれぞれ両手の指を掛けて持ち上げることにより、指の滑りが防止され、落とす危険性が減少し、運搬しやすくなる。
【発明を実施するための最良の形態】
【００１５】
まず、この発明の第１実施形態を図１乃至図５に基づいて説明する。
【００１６】
図１及び図２に示す包装箱は、菓子等の包装に使用する板紙製のものであり、図３に示すブランクから形成される。
【００１７】
このブランクでは、周壁１となる部分において、各一対の側壁２及び妻壁３が交互に連設され、周壁１のコーナー部となる中間の側壁２と妻壁３の間には、包装箱の両端面の角を結ぶ仮想直線Ｖの両端を起点として、中間部が仮想直線Ｖから側壁２へ食い込むように順次離れた山折線４と谷折線５とを入れて、山折線４と谷折線５の間に指掛部６が形成され、他方の側壁２の外側には、継代片７が連設されている。
【００１８】
山折線４及び谷折線５は弧状とされ、谷折線５の曲率は山折線４の曲率よりも大きく設定されている。
【００１９】
妻壁３の上端には蓋フラップ８ａが、各側壁２の上端には蓋フラップ８ｂ，８ｃがそれぞれ連設され、妻壁３の下端には底フラップ９ａが、側壁２の下端には底フラップ９ｂがそれぞれ連設されている。
【００２０】
蓋フラップ８ｃには、鉤型の切目が断続する２本のジッパ型切目線に挟まれた開封用の引裂帯８ｄが全幅に亘って設けられ、再封緘用として、蓋フラップ８ｂの先端中央部には差込突起８ｅが、蓋フラップ８ｃの基端中央部には両端部が屈曲したスリット状の差込穴８ｆがそれぞれ設けられている。
【００２１】
このブランクを組み立てて菓子等の商品を包装するには、図１及び図２に示すように、各一対の側壁２及び妻壁３を角筒状に折り曲げ、継代片７を反対側の妻壁３に貼り付けて周壁１を形成する。このとき、周壁１は、指掛部６を有するコーナー部において、山折線４に沿って屈曲する。
【００２２】
次に、側壁２を表面から押圧すると、谷折線５での屈曲に伴い、指掛部６は谷折線５から山折線４へかけて周壁１の外側へ膨らむように傾斜する。
【００２３】
そして、底フラップ９ａ，９ｂを順次内側へ折り曲げ、底フラップ９ｂ同士を貼り合わせて底面を閉止した後、箱内に内袋に入れて密封された菓子等の商品を収納し、蓋フラップ８ａ，８ｂ，８ｃを順次内側へ折り曲げ、蓋フラップ８ｃを引裂帯８ｄの先端側で蓋フラップ８ｂに貼り付けて開口面を閉止する。
【００２４】
このような包装箱から所要量の内容物を取り出す際には、引裂帯８ｄを切除して、図４に示すように、蓋フラップ８ａ，８ｂ，８ｃを開くとともに、内袋１０を開封し、片手で両側壁２を挟むように握って、包装箱を持ち上げた状態で傾斜させ、開口した端面から内容物を振り出す。
【００２５】
この際、上記包装箱では、図４及び図５に示すように、周壁１のコーナー部に外側に膨らんだ指掛部６を有するので、片手で挟んで持ち上げる際、指掛部６に指を掛けると、指の滑りが防止され、強く握らなくても、落としにくくなり、幼児や高齢者、女性等が取り扱いやすくなる。
【００２６】
また、上記包装箱は、既存のシールエンドカートン充填機で組み立てて封緘することができるので、商品の包装に要するコストが増大することもない。
【００２７】
次に、この発明の第２実施形態を図６乃至図９に基づいて説明する。なお、ここでは、上記第１実施形態と共通する部分についての説明は省略する。
【００２８】
この包装箱の図８に示すブランクでは、周壁１となる部分の指掛部６を有するコーナー部において、仮想直線Ｖの両端を起点として、中間部が仮想直線Ｖに対し山折線４の反対方向に妻壁３へ食い込むように離れた弧状の山折線１１を入れ、山折線４，１１の間に指沿部１２が形成されている。
【００２９】
そして、このブランクを組み立てると、図６及び図７に示すように、山折線４，１１での屈曲に伴い、指沿部１２が指掛部６に隣接して面取状に傾斜する。
【００３０】
このような包装箱では、図９に示すように、指掛部６に指を掛けて握り、持ち上げたとき、山折線４での折曲角度が鈍角となり、面取状に傾斜した指沿部１２が指に沿うので、指当たりが柔らかくなり、周壁の稜部で指に痛みを感じることがない。
【００３１】
次に、この発明の第３実施形態を図１０乃至図１４に基づいて説明する。なお、ここにおいても、上記第１，２実施形態と共通する部分の説明は省略する。
【００３２】
図１０及び図１１に示す包装箱は、飲料缶の包装に使用する段ボール製のラップラウンドケースであり、図１２に示すブランクから形成される。
【００３３】
この包装箱のブランクでは、周壁１の側壁２を挟む２つのコーナー部に指掛部６及び指沿部１２が形成され、谷折線５と山折線１１の両端は、包装箱の両端面の角となる山折線４の両端から間隔をあけて内側に位置している。継代片７は、一端の妻壁３の外側に連設され、妻壁３の両端には端フラップ１３ａが、側壁２の両端には端フラップ１３ｂがそれぞれ連設されている。
【００３４】
また、弧状に折り曲げにくい段ボールの特性を考慮して、山折線４，１１及び谷折線５は、中間部が仮想直線Ｖに平行な直線とされ、両端部は集合するように傾斜した直線とされている。さらに、指掛部６及び指沿部１２の両端部には、折り曲げを補助する折目１４及び切目１５，１６が入れられている。
【００３５】
ここで、折目１４は、指掛部６に山折線４及び谷折線５の屈曲部を繋ぐように入れ、切目１５は、谷折線５の屈曲部に入れ、切目１６は、指沿部１２に山折線４，１１の屈曲部を繋ぐように入れているが、切目及び折目は、材料の強度や厚さ等に応じて、適宜変更してもよく、省略してもよい。
【００３６】
このブランクを組み立てて商品の飲料缶を包装する際には、図１０及び図１１に示すように、各一対の側壁２及び妻壁３を角筒状に折り曲げ、継代片７を反対側の側壁２に貼り付けて周壁１を形成し、端フラップ１３ａ，１３ｂを順次内側へ折り曲げて封緘する。このとき、図１３に示すように、指掛部６及び指沿部１２が傾斜する。
【００３７】
そして、この包装箱を運搬する際には、図１４に示すように、両側に指掛部６を有する側壁２を下方へ向けて、両側の指沿部１２に両手の指を当て、指沿部１２に沿って指を底面側に回し込み、指掛部６に指を掛けて持ち上げる。
【００３８】
このとき、包装箱が床に置かれたり、複数個積み上げられたりした状態においても、指沿部１２の存在により、箱の下方に容易に指を回し込むことができ、その後、包装箱を持ち上げたとき、指掛部６で指の滑りが防止されるので、包装した商品が重量のあるものであっても、包装箱を落とす危険性が減少する。また、面取状に傾斜した指沿部１２に指が沿うので、周壁の稜部で指に痛みを感じることもない。
【００３９】
また、上記包装箱は、既存のラップラウンドケーサーで組み立てて封緘することができるので、商品の包装に要するコストが増大することもない。
【図面の簡単な説明】
【００４０】
【図１】この包装箱の第１実施形態に係る包装箱の封緘状態を示す斜視図
【図２】図１のII−II線断面図
【図３】同上の包装箱の板紙製ブランクを示す図
【図４】同上の握持状態を示す斜視図
【図５】同上の握持状態を示す要部断面図
【図６】この包装箱の第２実施形態に係る包装箱の封緘状態を示す斜視図
【図７】図６のVII−VII線断面図
【図８】同上の包装箱の板紙製ブランクを示す図
【図９】同上の握持状態を示す要部断面図
【図１０】この包装箱の第３実施形態に係る包装箱の封緘状態を示す斜視図
【図１１】図１０のXI−XI線断面図
【図１２】同上の包装箱の段ボール製ブランクを示す図
【図１３】同上の要部拡大断面図
【図１４】同上の握持状態を示す一部切欠断面図
【図１５】従来の包装箱の封緘状態を示す斜視図
【図１６】同上の握持状態を示す斜視図
【符号の説明】
【００４１】
１  周壁
２  側壁
３  妻壁
４  山折線
５  谷折線
６  指掛部
７  継代片
８ａ，８ｂ，８ｃ  蓋フラップ
８ｄ  引裂帯
８ｅ  差込突起
８ｆ  差込穴
９ａ，９ｂ  底フラップ
１０  内袋
１１  山折線
１２  指沿部
１３ａ，１３ｂ  端フラップ
１４  折目
１５，１６  切目
Ｖ  仮想直線
【図１】
2009035325.tif 000003
【図２】
2009035325.tif 000004
【図３】
2009035325.tif 000005
【図４】
2009035325.tif 000006
【図５】
2009035325.tif 000007
【図６】
2009035325.tif 000008
【図７】
2009035325.tif 000009
【図８】
2009035325.tif 000010
【図９】
2009035325.tif 000011
【図１０】
2009035325.tif 000012
【図１１】
2009035325.tif 000013
【図１２】
2009035325.tif 000014
【図１３】
2009035325.tif 000015
【図１４】
2009035325.tif 000016
【図１５】
2009035325.tif 000017
【図１６】
2009035325.tif 000018